(57)【要約】【課題】  装用感が良好でピッタリと密着した装着状態を保つことができ、また、長時間の装着によるムレやかぶれの心配も少なく、しかも、製造も非常に容易な犬猫等のペット用紙おむつを提供すること。【解決手段】  おむつパッド１前部に、一本のバンドから成るサスペンダー２の一端21を固着すると共に、このサスペンダー２は、犬猫等の下腹部から頭部、背部を通して尻尾下方でおむつパッド１後部に他端部22を着脱自在に連結可能とする一方、前記おむつパッド１の側部には、犬猫等の胴回りに巻着される胴巻きベルト３を配設し、かつ、前記サスペンダー２の中域部と連結端部22とに、犬猫等の頭部を挿通可能な第１スリット部24と、尻尾を挿通可能な第２スリット部25とをそれぞれ設けると共に、前記サスペンダー２における少なくとも固着端部21と第１スリット部24の間に伸縮バンド26を使用した。【選択図】  図１
0003136192.tif 000002
【実用新案登録請求の範囲】
【請求項１】
犬猫等の股間部を被覆するおむつパッド１を備えたペット用紙おむつにおいて、
前記おむつパッド１の前部に、一本のバンドから成るサスペンダー２の一端21が固着されると共に、このサスペンダー２は、犬猫等の下腹部から頭部、背部を通って尻尾下方でおむつパッド１後部に他端部22が着脱自在に連結可能である一方、前記おむつパッド１の側部には、犬猫等の胴回りに巻着される胴巻きベルト３が配設されており、かつ、
前記サスペンダー２の中域部と連結端部22とに、犬猫等の頭部を挿通可能な第１スリット部24と、尻尾を挿通可能な第２スリット部25とがそれぞれ設けられると共に、前記サスペンダー２における少なくとも固着端部21と第１スリット部24の間に伸縮バンド26が使用されていることを特徴とする犬猫等のペット用紙おむつ。
【請求項２】
犬猫等の股間部を被覆するおむつパッド１を備えたペット用紙おむつにおいて、
前記おむつパッド１の後部に、一本のバンドから成るサスペンダー２の一端21が固着されると共に、このサスペンダー２は、犬猫等の尻尾下方から背部、頭部を通って下腹部でおむつパッド１前部に他端部22が着脱自在に連結可能である一方、前記おむつパッド１の側部には、犬猫等の胴回りに巻着される胴巻きベルト３が配設されており、かつ、
前記サスペンダー２の中域部と固着端部21とに、犬猫等の頭部を挿通可能な第１スリット部24と、尻尾を挿通可能な第２スリット部25とがそれぞれ設けられると共に、前記サスペンダー２における少なくとも連結端部22と第１スリット部24の間、及び第１スリット部24と固着端部21の間に伸縮バンド26が使用されていることを特徴とする犬猫等のペット用紙おむつ。
【請求項３】
犬猫等の股間部を被覆するおむつパッド１を備えたペット用紙おむつにおいて、
前記おむつパッド１の前後部に、二本一対のバンドＢ・Ｂ'から成るサスペンダー２の各バンドの一端21・21'が固着されると共に、前記サスペンダー２は、一方のバンドＢが、犬猫等の下腹部から頭部、背部を通り、もう一方のバンドＢ'が尻尾下方から背部を通ってそれぞれの他端部22・22'同士を着脱自在に連結可能である一方、前記おむつパッド１の側部には、犬猫等の胴回りに巻着される胴巻きベルト３が配設されており、かつ、
前記サスペンダー２における一方のバンドＢの中域部ともう一方のバンドＢ'の固着端部21'とに、犬猫等の頭部を挿通可能な第１スリット部24と、尻尾を挿通可能な第２スリット部25とがそれぞれ設けられると共に、前記サスペンダー２における少なくとも一方のバンドＢの固着端部21と第１スリット部24の間に伸縮バンド26が使用されていることを特徴とする犬猫等のペット用紙おむつ。
【請求項４】
サスペンダー２における第１スリット部24及び／又は第２スリット部25の形成箇所に伸縮バンド26を使用したことを特徴とする請求項１〜３の何れか一つに記載の犬猫等のペット用紙おむつ。
【請求項５】
サスペンダー２の第１スリット部24及び／又は第２スリット部25をミシン目状に設けて任意の位置及び大きさのスリット開口部を形成可能とすることを特徴とする請求項１〜４の何れか一つに記載の犬猫等のペット用紙おむつ。
【考案の詳細な説明】
【技術分野】
【０００１】
本考案は、犬猫等のペット用紙おむつの改良、詳しくは、装用感が良好でピッタリと密着した装着状態を保つことができ、また、長時間の装着によるムレやかぶれの心配も少なく、しかも、製造も非常に容易な犬猫等のペット用紙おむつに関するものである。
【背景技術】
【０００２】
周知のとおり、犬をペットとして飼う場合において、トイレやマーキングの躾けが必要な小犬や、上手くトイレができない老犬に対しておむつを使用することがある。
【０００３】
そして、その際に使用されるおむつには、使い捨てできる紙おむつが非常に便利で、このような犬用の紙おむつとしては、後脚を開口部に通して胴体の後半身に装着し、後部位置には尻尾を通す挿通孔を備えたパンツ型の紙おむつが従来において広く知られている（例えば、特許文献１参照）。
【０００４】
しかしながら、上記従来のパンツ型の紙おむつは、長時間装着した場合において臀部全体がムレて皮膚疾患を起こし易く、特にムレが生じ易い長毛質の犬種に関しては、皮膚の状態を気に懸ける必要があった。
【０００５】
加えて、パンツ型おむつは、犬が動き回ってもずり落ちないように胴体部及び後脚部をおむつの開口部で締め付けて固定する構造であったが、この締付けが長時間継続することによりかぶれを引き起こすことがあった。
【０００６】
一方、従来においては、＜特許文献２＞にあるような、犬の下腹部から股間部を被覆するおむつパッドを使用して、パッド前部にバンドを取り付け、そのバンドを首輪と連結すると共に、パッド後部にも二本一対のバンドを設けて、これらの内、一方を後脚の間を通して尻尾上方に持ち上げ、もう一方も胴体の両側から尻尾上方に持ち上げて両者を連結することにより装着を行う構造の犬用おむつも公知となっている。
【０００７】
ところが、上記＜文献２＞の犬用おむつは、バンドに伸縮性がないために、着用したとたんに、体が締め付けられて犬が不快感を覚え、おむつを外そうと暴れることがあり、また、激しく動き回った際には、おむつパッドが前後にズレて股間部に擦れることでかぶれの原因になることもあった。
【０００８】
また、これを解決するために上記従来の紙おむつに伸縮性バンドを使用した場合であっても、排泄物を収容したおむつパッドが重みで沈下して股間部との間に隙間が生じ、この隙間から尿漏れが起きるなどの問題があった。
【０００９】
そしてまた、上記＜文献２＞の紙おむつは、首輪に連結するバンドを挿通するためのバンド通し部をおむつパッドの前端部に設けなければならない等、製造面においても面倒な点があった。
【特許文献１】特開２００７−１３５４１２号公報（第２−５頁、第１〜６図）
【特許文献２】特開２００６−５５０１１号公報（第２−８頁、第１〜４図）
【考案の開示】
【考案が解決しようとする課題】
【００１０】
本考案は、この上記の問題に鑑みてなされたものであって、その目的とするところは、装用感が良好でピッタリと密着した装着状態を保つことができ、また、長時間の装着によるムレやかぶれの心配も少なく、しかも、製造も非常に容易な犬猫等のペット用紙おむつを提供することにある。
【課題を解決するための手段】
【００１１】
本考案者が、上記課題を解決するために採用した手段を添付図面を参照して説明すれば次のとおりである。
【００１２】
即ち、本考案は、犬猫等の股間部を被覆するおむつパッド１を備えたペット用紙おむつにおいて、
前記おむつパッド１前部に、一本のバンドから成るサスペンダー２の一端21を固着すると共に、このサスペンダー２は、犬猫等の下腹部から頭部、背部を通して尻尾下方でおむつパッド１後部に他端部22を着脱自在に連結可能とする一方、前記おむつパッド１の側部には、犬猫等の胴回りに巻着される胴巻きベルト３を配設し、かつ、
前記サスペンダー２の中域部と連結端部22とに、犬猫等の頭部を挿通可能な第１スリット部24と、尻尾を挿通可能な第２スリット部25とをそれぞれ設けると共に、前記サスペンダー２における少なくとも固着端部21と第１スリット部24の間に伸縮バンド26を使用した点に特徴がある。
【００１３】
また、本考案においては、上記課題を解決するために、必要に応じて上記手段に加え、犬猫等の股間部を被覆するおむつパッド１を備えたペット用紙おむつにおいて、
前記おむつパッド１後部に、一本のバンドから成るサスペンダー２の一端21を固着すると共に、このサスペンダー２は、犬猫等の尻尾下方から背部、頭部を通して下腹部でおむつパッド１前部に他端部22を着脱自在に連結可能とする一方、前記おむつパッド１の側部には、犬猫等の胴回りに巻着される胴巻きベルト３を配設し、かつ、
前記サスペンダー２の中域部と固着端部21とに、犬猫等の頭部を挿通可能な第１スリット部24と、尻尾を挿通可能な第２スリット部25とをそれぞれ設けると共に、前記サスペンダー２における少なくとも連結端部22と第１スリット部24の間、及び第１スリット部24と固着端部21の間に伸縮バンド26を使用するという技術的手段を採用することができる。
【００１４】
また、本考案においては、上記課題を解決するために、必要に応じて上記手段に加え、犬猫等の股間部を被覆するおむつパッド１を備えたペット用紙おむつにおいて、
前記おむつパッド１の前後部に、二本一対のバンドＢ・Ｂ'から成るサスペンダー２の各バンドの一端21・21'を固着すると共に、前記サスペンダー２は、一方のバンドＢを、犬猫等の下腹部から頭部、背部を通し、もう一方のバンドＢ'を尻尾下方から背部を通してそれぞれの他端部22・22'同士を着脱自在に連結可能とする一方、前記おむつパッド１の側部には、犬猫等の胴回りに巻着される胴巻きベルト３を配設し、かつ、
前記サスペンダー２における一方のバンドＢの中域部ともう一方のバンドＢ'の固着端部21'とに、犬猫等の頭部を挿通可能な第１スリット部24と、尻尾を挿通可能な第２スリット部25とをそれぞれ設けると共に、前記サスペンダー２における少なくとも一方のバンドＢの固着端部21と第１スリット部24の間に伸縮バンド26を使用するという技術的手段を採用することができる。
【００１５】
また、本考案においては、上記課題を解決するために、必要に応じて上記手段に加え、サスペンダー２における第１スリット部24及び／又は第２スリット部25の形成箇所に伸縮バンド26を使用するという技術的手段を採用することができる。
【００１６】
また、本考案においては、上記課題を解決するために、必要に応じて上記手段に加え、サスペンダー２の第１スリット部24及び／又は第２スリット部25をミシン目状に設けてスリット開口部の位置及び大きさを調節可能とするという技術的手段を採用することができる。
【考案の効果】
【００１７】
本考案においては、犬猫等の股間部を被覆可能なおむつパッドに対して、一本のバンドから成り、犬猫等の下腹部から頭部、背部を通してパッド前後に連結されるサスペンダーと、犬猫等の胴回りに巻着する胴巻きベルトとを備えて構成したことにより、サスペンダーと胴巻きベルトを装着すれば、臀部全体でなく股間部だけを部分的に被覆することが可能となるため、おむつによる被覆面積を縮小化することができ、長毛質の犬種であってもムレの心配が非常に少ない。
【００１８】
そして更に、サスペンダーの所定部位に設けたスリットに犬猫等の頭部及び尻尾を挿通すれば、おむつパッドの位置が股間部から大きくズレるようなことはないため、胴巻きベルトを犬猫等の体にきつく締め付けて固定する必要はなく、長時間の着用によるかぶれも生じない。
【００１９】
また本考案では、サスペンダーにおける犬猫等の下腹部に当接する部位に伸縮バンドを使用したことにより、着用したまま犬猫等が動き回っても前記伸縮バンドが伸び縮みしてサスペンダーが体を締め付けることはなく、また、おむつパッドがズレて股間部を擦ることもないため、装用感は良好で犬猫等がおむつの装着を嫌がることもない。
【００２０】
一方、おむつパッドを胴巻きベルトでしっかりと吊支されるためおむつパッドが排泄物の重みで沈下するようなことはなく、股間部にピッタリと密着した装着状態を保つことができる。
【００２１】
そしてまた、本考案における紙おむつの構造は、おむつパッドの前部及び両側部にサスペンダーや胴巻きベルトを固着するだけの簡単な構造であるため、製造も容易である。
【００２２】
したがって、本考案により、ペットに優しく、おむつとしての機能性にも優れ、かつ、製造面でも好都合なペット用紙おむつを提供できることから、本考案の実用的利用価値は非常に高いと云える。
【考案を実施するための最良の形態】
【００２３】
『実施例１』
本考案の実施例１を具体的に図示した図１から図３に基いて更に詳細に説明すると次のとおりである。まず、図中において符号１で指示するものは、犬用おむつパッドであり、符号２で指示するものは、サスペンダーである。そして、符号３で指示するものは、胴巻きベルトである。
【００２４】
次に、本実施例の構成を以下から説明する。まず、本実施例においては、吸水性材料を固定した尿取り部11と窪み形状となった糞収容部12とを備え、かつ、通気性の高い不織布を材料としておむつパッド１を作製すると共に、おむつパッド１の両側には、犬の股間部に対するフィット感を高める伸縮性のギャザー部13を形成した（図１参照）。
【００２５】
そして、おむつパッド１前部には、一本の不織布製バンドから成るサスペンダー２の一端21を固着し、この固着端部21と反対側の他端部22を、犬の下腹部から頭部、背部を通して尻尾下方でおむつパッド１の後部に着脱自在に連結できるように形成した（図２、図３参照）。
【００２６】
なお本実施例では、おむつパッド１の不織布生地に対して着脱自在な面着ファスナー23をサスペンダー２の連結端部22に取着している。
【００２７】
また、サスペンダー２の中域部と連結端部22とには、犬の頭部を挿通可能な第１スリット部24と尻尾を挿通可能な第２スリット部25とをそれぞれ設けた。
【００２８】
さらに、サスペンダー２における固着端部21と第１スリット部24の間には、不織布に弾性糸を挿入して作製した伸縮バンド26を非伸縮性のバンドに接続して介設した。
【００２９】
また、おむつパッド１の両側部前後には、二本一対の非伸縮性バンド（本実施例では、「不織布」）から成り、一方のバンドに取着した面着ファスナー31をもう一方のバンドに連結することで犬の胴回りに巻着可能な胴巻きベルト３を配設した。
【００３０】
上記のように構成したことによって、サスペンダー２と胴巻きベルト３・３を装着すればおむつパッド１で犬の股間部だけを部分的に被覆することが可能となる。
【００３１】
さらに、サスペンダー２の第１スリット部24及び第２スリット部25に犬の頭部と尻尾を挿入して固定すれば、おむつパッド１の位置が股間部から大きくズレるようなことはないため、サスペンダー２及び胴巻きベルト３を犬の胴体にきつく締め付ける必要もない。
【００３２】
また、着用したまま犬が動き回ってもサスペンダー２の伸縮バンド26が伸び縮みするため、サスペンダー２が体を締め付けることはなく、また、おむつパッドが前後にズレて股間部に擦れるようなこともない。
【００３３】
一方、おむつパッド１は胴巻きベルト３・３でしっかりと吊支されるため排泄物の重みで沈下して隙間が生じる心配もない。
【００３４】
そしてまた、本考案におけるペット用紙おむつは、おむつパッドにサスペンダー及び胴巻きベルトを固着しただけの簡単な構造であるため、製造も非常に容易であり、また、おむつパッド１及びサスペンダー２、胴巻きベルト３は安価な不織布製であるため、使用後はそのまま廃棄することが可能である。
【００３５】
他方また、装着作業に関しても、サスペンダー２の第１スリット部24及び第２スリット部25に犬の頭部と尻尾を通した後、サスペンダー２の連結端部22とおむつパッド１後部とを犬の胴体の長さに合わせて連結し、その後、胴巻きベルト３・３を犬の胴体に巻着するだけでよいため、非常に簡単である。
【００３６】
また本実施例では、サスペンダー２の第１スリット部24の形成箇所に伸縮バンド26を使用したことにより、開口部を頻繁に動作する犬の首にフィットさせることができる。
【００３７】
なお、サスペンダー２の第２スリット部25の形成箇所に伸縮バンド26を使用して、首と同様、頻繁に動作する尻尾に対して開口部をフィットさせることも勿論可能である。
【００３８】
『実施例２』
次に、本考案の実施例２を図４に基いて説明する。本実施例においては、おむつパッド１後部にサスペンダー２の一端を固着すると共に、この固着端部21の反対側には連結端部22を設けて、この連結端部を、犬の尻尾下方から背部、頭部を通して下腹部でおむつパッド１前部に着脱自在に連結できるように形成した（図４参照）。
【００３９】
そして、サスペンダー２の中域部と固着端部21とには、犬の頭部を挿通可能な第１スリット部24と、尻尾を挿通可能な第２スリット部25とをそれぞれ設け、サスペンダー２における連結端部22と第１スリット部24との間に加えて、第１スリット部24と固着端部21との間にも伸縮バンド26を使用して作製した。
【００４０】
これにより、第２スリット部25に犬の尻尾を先に挿通してからサスペンダー２を装着できるため、装着作業が非常に簡単であり、また、第１スリット部24と固着端部21との間に使用した伸縮バンド26が犬の胴体の長さに応じて伸び縮みするため、胴体の長さが異なる犬種に対して幅広く使用できる。
【００４１】
『実施例３』
次に、本考案の実施例３を図５に基いて説明する。本実施例においては、おむつパッド１の前後部に、二本一対のバンドＢ・Ｂ'から成るサスペンダー２のバンド各々の一端を固着すると共に、サスペンダー２は、一方のバンドＢを、犬猫等の下腹部から頭部、背部を通し、もう一方のバンドＢ'を尻尾下方から背部を通してそれぞれの他端部同士を面着ファスナー23により着脱自在に連結できるようにした（図５参照）。
【００４２】
そして、サスペンダー２における一方のバンドＢの中域部ともう一方のバンドＢ'の前記固着端部21'とに、犬猫等の頭部を挿通可能な第１スリット部24と、尻尾を挿通可能な第２スリット部25とをそれぞれ設けると共に、サスペンダー２における一方のバンドＢの固着端部21と第１スリット部24との間に伸縮バンド26を使用して構成した。
【００４３】
これにより、サスペンダー２のバンドＢ・Ｂ'の連結端部22・22'同士を犬の胴体の長さに合わせて連結することにより、胴体の長さが異なる犬種に対応することができる。
【００４４】
『実施例４』
次に、本考案の実施例４を図６に基いて説明する。本実施例においては、サスペンダー２の第１スリット部23及び第２スリット部24をミシン目状に設けたことにより、使用する際にスリット開口部を装着する犬の頭部及び尻尾の太さや体型に合わせた位置及びサイズに調節して形成することができる。
【００４５】
また、本考案は、概ね上記のように構成されるが、図示の実施形態に限定されるものではなく、「実用新案登録請求の範囲」の記載内において種々の変更が可能であって、例えば、おむつパッド１は、尿取り部11のみを備えた小型の形態であってもよく、大きさや形状に関しても使用する犬や猫その他の四脚動物に応じて任意に変更することができる。
【００４６】
また、サスペンダー２や胴巻きベルト３の材料には紙や不織布に限らず、使い捨て可能なシート材や布帛を使用してもよく、また、胴巻きベルト３の配置や形状も任意に変更することができる。
【００４７】
そしてまた、おむつパッド１及びサスペンダー２、胴巻きベルト３の色を犬猫等の毛色に合わせることにより目立たないデザインとしてもよく、また、おむつパッド１及びサスペンダー２、胴巻きベルト３のデザインを工夫して服を着せているように見せてもよく、何れも本考案の技術的範囲に属する。
【産業上の利用可能性】
【００４８】
近年では、ペットブームにより犬や猫を飼う家庭が急増しており、室内犬のトイレの躾けやマーキングの躾けに使用するおむつは需要が大きい。また、老犬になった場合の排泄物の処理におむつを利用する飼い主も多く、市場では、安価で使い勝手が良く、しかも、ペットがストレスを感じることのない機能性の高い紙おむつが望まれている。
【００４９】
そのような中で、本考案の犬猫等のペット用紙おむつは、コスト面だけでなく、機能性及び使用性を向上することができる有用な技術であることから、市場における需要は大きく、本考案の産業上の利用価値は非常に高いと云える。
【図面の簡単な説明】
【００５０】
【図１】本考案の実施例１におけるペット用紙おむつを表わす全体上面図である。
【図２】本考案の実施例１におけるペット用紙おむつの使用状態を表わす状態説明図である。
【図３】本考案の実施例１におけるペット用紙おむつの使用状態を表わす状態説明図である。
【図４】本考案の実施例２におけるペット用紙おむつを表わす全体上面図である。
【図５】本考案の実施例３におけるペット用紙おむつを表わす全体上面図である。
【図６】本考案の実施例４におけるペット用紙おむつを表わす全体上面図である。
【符号の説明】
【００５１】
１  おむつパッド
11  尿取り部
12  糞収容部
13  ギャザー部
２  サスペンダー
21  固着端部
22  連結端部
23  面着部材
24  第１スリット部
25  第２スリット部
26  伸縮バンド
３  胴巻きベルト
31  面着部材
Ｂ  バンド
【図１】
0003136192.tif 000003
【図２】
0003136192.tif 000004
【図３】
0003136192.tif 000005
【図４】
0003136192.tif 000006
【図５】
0003136192.tif 000007
【図６】
0003136192.tif 000008